(57)【要約】【課題】  操作パネル内への静電気の進入を防止することができる照光式押しボタンスイッチを提供する。【解決手段】  操作パネル２の取付孔３に挿入して取り付けられるスイッチボディ４に出没可能に収容された押ボタン５を一方向に摺動付勢させる導電性の弾性部材６を備え、前記弾性部材６に接触する第１接触部７と、前記スイッチボディ４を前記取付孔３に挿入して取り付けたとき、該操作パネル２の導電性の部分に接触する第２接触部８とを有する導電性のアース部材９を備えたことにより、前記課題を解決した。【選択図】        図２
2006066098.tif 000002
【特許請求の範囲】
【請求項１】
操作パネルの取付孔に挿入して取り付けられるスイッチボディに出没可能に収容された押ボタンを一方向に摺動付勢させる導電性の弾性部材を備えた照光式押しボタンスイッチにおいて、前記弾性部材に接触する第１接触部と、前記スイッチボディを前記取付孔に挿入して取り付けたとき、前記操作パネルの導電性の部分に接触する第２接触部とを有する導電性のアース部材を備えたことを特徴とする、照光式押しボタンスイッチ。
【請求項２】
前記第２接触部が、前記スイッチボディの前記取付孔への挿入方向とは反対方向に傾斜している板バネであることを特徴とする、請求項１に記載の照光式押しボタンスイッチ。
【請求項３】
前記弾性部材がコイルバネであり、該コイルバネの一端部が前記スイッチボディに接触していると共に他端部が前記押ボタンに接触し、
前記アース部材が前記スイッチボディに取り付けられ、該アース部材の第１接触部が前記コイルバネの一端部に接触していることを特徴とする、請求項１又は２に記載の照光式押しボタンスイッチ。
【請求項４】
前記スイッチボディに、前記コイルバネの一端部が接触するバネ接触部を設け、
前記第１接触部が、前記バネ接触部に面接触するワッシャー状のリングであり、前記第２接触部が、該リング部の外周縁部から突出する薄板状の舌片であることを特徴とする、請求項３に記載の照光式押しボタンスイッチ。
【請求項５】
前記アース部材が、前記弾性部材に一体的に形成されていることを特徴とする、請求項１〜４のいずれか１項に記載の照光式押しボタンスイッチ。
【請求項６】
前記第２接触部が、前記スイッチボディの外表面に装着される板バネであり、前記第１接触部が、該板バネ部から突出して前記弾性部材に接触する突出片であることを特徴とする、請求項１に記載の照光式押しボタンスイッチ。
【請求項７】
前記請求項１〜６のいずれか１項に記載の照光式押しボタンスイッチを備えたことを特徴とする、電子機器。
【発明の詳細な説明】
【技術分野】
【０００１】
本発明は、各種ゲーム機等の電子機器に取り付けられる照光式押しボタンスイッチに関し、特に静電気が電子機器等の筐体内に流れることを防止することのできる照光式押しボタンスイッチ及び電子機器に関するものである。
【背景技術】
【０００２】
テレビゲーム、メダルゲーム、プライズマシン、クレーンゲーム、音楽系ゲーム、子供向けゲームなどの各種ゲーム機等の電子機器には、ディスプレイ装置等の表示装置と共に入力装置としての照光式押しボタンスイッチが取り付けられている。
【０００３】
この種の照光式押しボタンスイッチとしては、本出願人が先に提案した特許文献１に記載されているもの等が知られている。この照光式押しボタンスイッチは、先端に鍔部を有する筒状のケース本体と、ケース本体に取り付けられ、マイクロスイッチを有するランプホルダーと、ケース本体内に一部がケース体の軸方向へ移動可能に収容され、マイクロスイッチを作動させるプランジャーと、プランジャーの先端に取り付けた押しボタンと、ケース本体内のプランジャーの外周に設けられ、プランジャーを押しボタンがケース本体から突出した状態で付勢するスプリング部と、を備えている。マイクロスイッチは、例えば、配線を介してゲーム機内の基板に電気的に接続されており、押しボタンを指で押すと、スプリング部の付勢力に抗してプランジャーがケース本体の軸方向に移動してマイクロスイッチが作動され、電気的信号がゲーム機内の基板等に送られる。これにより、ゲーム機を操作したりすることができ、遊戯を楽しめる。また、この照光式押しボタンスイッチは、ケース本体内のランプホルダーのランプソケットにランプが取り付けられ、このランプからの光が押しボタンを介してケース本体外に照射されるように構成されている。
【特許文献１】特開２００１−３０７５８１号公報
【発明の開示】
【発明が解決しようとする課題】
【０００４】
ところで、前述の照光式押しボタンスイッチは、押しボタンを指で押すことによりマイクロスイッチを作動させることができるが、押しボタンを指で押すとき、静電気放電がスプリング部との間になされ、この静電気放電がされたスプリング部とランプソケットの間になされて静電気がケース本体内を流れて配線を通じて例えばゲーム機の筐体内の基板等に流れることがある。このように、基板に静電気が流れると、該基板に設けられている回路を破壊して遊戯をできなくなったり、ノイズが発生して誤動作を生じたりするという問題があった。
【０００５】
本発明は、このような問題を解決するためになされたものであって、その目的は、静電気が基板へ流れることを防止することができる照光式押しボタンスイッチ及びその照光式押しボタンスイッチを備えた電子機器を提供することにある。
【課題を解決するための手段】
【０００６】
前記の目的を達成するための本発明に係る照光式押しボタンスイッチは、操作パネルの取付孔に挿入して取り付けられるスイッチボディに出没可能に収容された押ボタンを一方向に摺動付勢させる導電性の弾性部材を備えた照光式押しボタンスイッチにおいて、前記弾性部材に接触する第１接触部と、前記スイッチボディを前記取付孔に挿入して取り付けたとき、前記操作パネルの導電性の部分に接触する第２接触部とを有する導電性のアース部材を備えたことを特徴とする。
【０００７】
この発明によれば、弾性部材に接触する第１接触部と操作パネルの導電性の部分に接触する第２接触部とを有する導電性のアース部材を備えたことにより、弾性部材に静電気が流れたとき、その静電気は弾性部材に接触しているアース部材に流れ、さらにアース部材から操作パネルに流れる。その結果、電子機器内の基板へ静電気が流れ、基板を破壊したり、誤動作を生じたりすることが防止される。また、スイッチボディを操作パネルの取付孔に挿入して取り付けたとき、アース部材の第２接触部が操作パネルに接触するので、アース部材を操作パネルに接触させるための作業が不要となり、組み付け作業性が向上する。
【０００８】
本発明に係る照光式押しボタンスイッチにおいて、前記第２接触部が、前記スイッチボディの前記取付孔への挿入方向とは反対方向に傾斜している板バネであることが好ましい。この発明によれば、第２接触部が板バネであるので、第２接触部と操作パネルとの接触状態を良好に維持することができ、静電気をアース部材から操作パネルに確実に流すことができる。
【０００９】
本発明に係る照光式押しボタンスイッチにおいて、前記弾性部材がコイルバネであり、該コイルバネの一端部が前記スイッチボディに接触していると共に他端部が前記押ボタンに接触し、前記アース部材が前記スイッチボディに取り付けられ、該アース部材の第１接触部が前記コイルバネの一端部に接触していることが好ましい。
【００１０】
この発明よれば、コイルバネの一端部はスイッチボディに接触しているために、スイッチボディに対する位置がほとんど変わらない。このため、アース部材の第１接触部とコイルバネの一端部との接触状態を良好に維持することができ、静電気をコイルバネからアース部材に確実に流すことができる。
【００１１】
本発明に係る照光式押しボタンスイッチにおいて、前記スイッチボディに、前記コイルバネの一端部が接触するバネ接触部を設け、前記第１接触部が、前記バネ接触部に面接触するワッシャー状のリングであり、前記第２接触部が、該リング部の外周縁部から突出する薄板状の舌片であることが好ましい。
【００１２】
この発明よれば、コイルバネの一端部が接触するバネ接触部に、第１接触部であるリングが面接触することにより、リングがバネ接触部とコイルバネの間に配置される、すなわち、コイルバネの付勢力によりバネ接触部とコイルバネとで挟持されるので、リングとコイルバネの接触状態を一層良好に維持することができ、静電気をコイルバネからアース部材に一層確実に流すことができる。
【００１３】
本発明に係る照光式押しボタンスイッチにおいて、前記アース部材が、前記弾性部材に一体的に形成されていることが好ましい。この発明よれば、アース部材を別途必要としないので、部品点数を増やすことなく静電気を操作パネルに流すことができる。
【００１４】
本発明に係る照光式押しボタンスイッチにおいて、前記第２接触部が、前記スイッチボディの外表面に装着される板バネであり、前記第１接触部が、該板バネから突出して前記弾性部材に接触する突出片であることが好ましい。
【００１５】
前記の目的を達成するための本発明に係る電子機器は、前記の本発明に係る照光式押しボタンスイッチを備えたことを特徴とする。この発明によれば、前述と同様に静電気は弾性部材からアース部材を介して操作パネルに流れるので、電子機器内の基板へ静電気が流れ、基板を破壊したり、誤動作を生じたりすることが防止される。
【発明の効果】
【００１６】
以上説明したように本発明に係る照光式押しボタンスイッチ及び電子機器によれば、弾性部材に接触する第１接触部と、スイッチボディを取付孔に挿入して取り付けたとき、操作パネルの導電性の部分に接触する第２接触部とを有する導電性のアース部材を備えたので、極めて簡単な組み付け易い構成で弾性部材を流れる静電気を操作パネルに流すことができ、ランプホルダーを介して電子機器の基板へ静電気が流れ、基板を破壊したり、誤動作を生じたりすることを有効に防止することができるものである。
【発明を実施するための最良の形態】
【００１７】
以下、本発明に係る照光式押しボタンスイッチを添付図面に基づいて詳述する。
【００１８】
図１及び図２は本発明に係る第１の照光式押しボタンスイッチの一例を示す図である。図３は本発明に係る第１のアース部材の一例を示す図である。図４は本発明に係る第１の照光式押しボタンスイッチの他の例を示す図である。図５は本発明に係る第１のアース部材の他の例を示す図である。
【００１９】
本発明に係る照光式押しボタンスイッチは、電子機器の筐体である操作パネルに取り付けられるものである。電子機器としては、特に限定されないが、パチンコ、パチスロ、カジノ機器などの各種のゲーム機や自動販売機、券売機、現金自動入金・自動支払い機（ＡＴＭ（Automatic Teller Machine））等が挙げられる。ゲーム機としては、具体的には、パチンコ、パチスロ、カジノ機器、テレビゲーム、メダルゲーム、プライズマシン、クレーンゲーム、音楽系ゲーム、子供向けゲーム等が挙げられる。電子機器、例えば、ゲーム機の筐体である操作パネル等は、導電性材料である鉄板が用いられているので、静電気が流れやすくなっている。この操作パネルには、本発明に係る押しボタンスイッチを取り付けるための取付孔がゲーム機に応じて１つ又は２つ以上設けられている。
【００２０】
本発明に係る第１の照光式押しボタンスイッチは、図１、図２及び図４に示すように、操作パネル２の取付孔３に挿入して取り付けられるスイッチボディ４に出没可能に収容された押ボタン５を一方向に摺動付勢させる導電性の弾性部材６を備え、前記弾性部材６に接触する第１接触部７と、前記スイッチボディ４を前記取付孔３に挿入して取り付けたとき、該操作パネル２の導電性の部分に接触する第２接触部８とを有する導電性のアース部材９を備えたことを特徴とする。
【００２１】
スイッチボディ４は、例えば、合成樹脂等の絶縁材料により円筒状に形成されている。スイッチボディ４の一端部側は、外径及び内径の寸法が大きい大径部４１が形成され、この大径部４１は取付フランジとして機能するものである。なお、スイッチボディ４の一端部は、操作パネル２の取付孔３に挿入される端部（後端部ということがある。）とは反対側の端部（先端部ということがある。）をいう。すなわち、スイッチボディ４の外表面及び内表面は、階段状に形成されている。大径部４１以外のスイッチボディ４（小径部４２ということがある。）の外径は、取付孔３の径より小さい例えば若干小さな寸法の径で形成されていることが好ましい。大径部４１の外径は、取付孔３の径より大きな寸法の径で形成されていることが好ましい。
【００２２】
また、小径部４２の周面には、ネジ溝が設けられており、例えば、取付ナット１１が螺合される。小径部４２の内壁の中央部よりやや後端部側には、その径方向内方に延びるバネ接触部４５が設けられている。バネ接触部４５は、小径部４２の内表面の周方向全体に形成されてもよいし（すなわちリング状に形成されていてもよいし）、その周方向に等間隔をあけて２つ以上形成されたものであってもよい。バネ接触部４５は、例えば断面略矩形状に形成されている。このバネ接触部４５の先端面が脚部接触面４５ａとして形成され、その大径部４１側の側面がバネ接触面４５ｂとして形成され、残りの側面がストッパ接触面４５ｃとして形成されている。小径部４２及び大径部４１からなるスイッチボディ４に押ボタン５が収容されている。
【００２３】
押ボタン５は、プランジャー５０とボタンカバー１５とからなる。プランジャー５０は、例えば、合成樹脂等の絶縁材料により形成されている。プランジャー５０は、例えば、円筒部５１と、その円筒部５１より突出した脚部５２とからなる。
【００２４】
円筒部５１は、スイッチボディ４の大径部４１内にその同軸上（略同軸上を含む。）に収容されている。円筒部５１は、軸方向の長さが大径部４１の軸方向の長さより短い寸法で形成されていると共に、外径が大径部４１の内径より小さい寸法で形成されている。
【００２５】
円筒部５１の周面（外表面）の軸方向略中央部より他端部側（スイッチボディ４の他端部側）には、その径方向外方に延びる摺動片部５３が設けられている。摺動片部５３は、円筒部５１の周面の周方向に等間隔をあけて２つ以上形成されたものであってもよいが、その周方向全体に形成されていることが好ましい。すなわち、摺動片部５３は、リング状に形成されていることが好ましい。摺動片部５３の外径は、大径部４１の内径より若干小さな寸法の径で形成されており、円筒部５１が大径部４１内をその軸方向に移動し得るようになっている。
【００２６】
また、円筒部５１の周面（外表面）の一端部の近傍には、その径方向外方に突出する係合突部５５が設けられている。この円筒部５１の摺動片部５３より一端部側の外表面にその表面及び円筒部５１の一端部側の開口部を覆うようにボタンカバー１５が着脱可能に取り付けられている。
【００２７】
ボタンカバー１５は、光透過性材料で形成されている。このボタンカバー１５は、指等で押圧される円形状の押圧部１５ａと、その押圧部１５ａの周縁部に設けられ、その軸方向に延びる円筒状の着脱部１５ｂとからなる。押圧部１５ａ及び着脱部１５ｂの外径は、摺動片部５３の外径より若干小さな寸法で形成されている。着脱部１５ｂの内径は、大径部４１の外径より若干大きな寸法で形成されている。また、着脱部１５ｂの外表面には、ボタンカバー１５をプランジャー５０の円筒部５１に取り付けたとき、係合突部５５と係合してボタンカバー１５がプランジャー５０から外れ難くするための係合凹部１６が設けられている。
【００２８】
円筒部５１の一端部側（スイッチボディ４の一端部側）は開放されていると共に、その他端部側には、スイッチボディ４の内径より径が小さな寸法の径のライト孔５６が設けられている。すなわち、円筒部５１の他端部側は、径方向内方に延びる壁部（バネ接触壁部５７ということがある。）が設けられ、このバネ接触壁部５７にライト孔５６が設けられている。バネ接触壁部５７には、脚部５２が立設されている。
【００２９】
脚部５２は、例えばライト孔５６の周縁部であって対向する２箇所のバネ接触壁部５７の表面に一体的に２つ形成されている。脚部５２は、円筒部５１の軸方向に延びて形成されている。２つの脚部５２、５２は、互いに対向する表面（内表面ということがある。）と反対側の表面（外表面ということがある。）の間の長さがバネ接触部４５の内径より若干小さな寸法で形成されていることが好ましい。２つの脚部５２、５２の長さは、プランジャー５０をスイッチボディ４内に収容したとき、バネ接触部４５より突出する寸法で、かつ、スイッチボディ４の後端部側に取り付けられるスイッチを作動し得る寸法で形成されていることが好ましい。これにより、２つの脚部５２、５２の外表面がそれぞれバネ接触部４５に接触すると共に、円筒部５１の摺動片部５３が大径部４１の内面に接触してプランジャー５０がスイッチボディ４に対してスイッチボディ４の軸方向に移動し得るようになっている。すなわち、押ボタン５（プランジャー５０）がスイッチボディ４に出没可能に収容されている。
【００３０】
脚部５２の先端部は、スイッチを作動し得る形状に形成されている。脚部５２の先端部近傍の外表面には、その表面から突出するストッパ部５８が設けられており、このストッパ部５８がバネ接触部４５に接触してプランジャー５０の突出方向の移動が規制されるようになっている。すなわち、プランジャー５０は、ストッパ部５８がバネ接触部４５に接触する個所とバネ接触壁部５７が大径部４１を形成する壁に接触する個所との間の範囲内で往復移動し得るようになっている。
【００３１】
脚部５２のストッパ部５８から先端部までの外表面は、２つの脚部５２、５２の間隔が漸次短くなるように漸次傾斜された傾斜面５９として形成されている。また、２つの脚部５２、５２は、互いが対向する方向に可撓可能に形成されており、脚部５２をその先端部からスイッチボディ４内に挿入したとき、バネ接触部４５に接触して脚部５２が内側（互いに対向する側）に可撓してバネ接触部４５内をストッパ部５８が通ることができるようになっている。脚部５２とスイッチボディ４との間のスイッチボディ４内に弾性部材６が設けられている。
【００３２】
弾性部材６は、プランジャー５０をスイッチボディ４から突出する方向（突出方向ということがある。）に付勢する導電性の弾性部材である。弾性部材６としては、特に限定されないが、例えば、コンプレッションスプリングであるコイルバネ６１等であることが好ましい。コイルバネ６１の内径は、２つの脚部５２、５２の外表面間の長さより長い寸法の径で形成されていると共に、その外径は、スイッチボディ４の内径より若干小さな寸法の径で形成されていることが好ましい。コイルバネ６１の両端部はリング状に形成されていることが好ましい。このコイルバネ６１は、一端部がバネ接触部４５に当接されていると共に、他端部がバネ接触壁部５７に当接されており、その付勢力によりプランジャー５０を突出方向に付勢する、すなわち、脚部５２のストッパ部５８がバネ接触部４５に当接するように付勢するように形成されている。
【００３３】
また、スイッチボディ４の後端部には、スイッチボックス７０が着脱可能に取り付けられている。スイッチボックス７０には、例えば機械式接点方式、フォトインタラプタ方式等のスイッチとしてのマイクロスイッチ（図示せず）が設けられており、ボタンカバー１５を指等で押圧することよりプランジャー５０が没入方向（突出方向とは反対方向）に移動して脚部５２の先端部によってマイクロスイッチが作動され、マイクロスイッチからの電気信号が配線７５を介して操作パネル２内の基板等に送られるようになっている。
【００３４】
また、スイッチボックス７０には、脚部５２、５２間に位置されるランプホルダー７１が設けられている。ランプホルダー７１の外表面は、２つの脚部５２、５２のスイッチボディ４の軸方向の移動を妨げないと共に、その外表面に２つの脚部５２、５２の先端部の内表面が接触又は近接し得る形状で形成されており、プランジャー５０がスイッチボディ４から抜け出ないようになっている。ランプホルダー７１には、操作パネル２内の基板等に配線７５を介して電気的に接続されているランプソケット（図示せず）が設けられ、このランプソケットにランプ７２が装着されている。ランプ７２は、照光式の押しボタンスイッチに用いられているものであれば特に限定されない。ランプ７２は、配線７５を介して流れる電流により点灯するものであり、この点灯により円筒部５１内に設けられた光透過性を有するプレート１８を介してボタンカバー１５が内部から照らされるようになっている。なお、プレート１８は光透過性材料で形成され、所望の色が施されている。
【００３５】
アース部材９は、スイッチボディ４に設けられている。アース部材９は、コイルバネ６１に静電気が流れたとき、静電気を操作パネル２に流すためのものであり、導電性材料で形成されている。アース部材９は、コイルバネ６１に接触する第１接触部７と、スイッチボディ４を取付孔３に挿入して取り付けたとき、操作パネル２に接触する第２接触部８とを備えている。
【００３６】
アース部材９は、例えば、薄板リング状に形成された第１接触部７であるリング、すなわちワッシャー状のリング９１と、リング９１の外周縁部から突出する第２接触部８である薄板状の舌片９２とから形成されていてもよい。
【００３７】
リング９１の外径は、スイッチボディ４の小径部４２の内径より小さい、例えば若干小さい寸法の径で形成されていると共に、その内径は、バネ接触部４５の内径と同じか小さい例えば若干小さい寸法の径で形成されていることが好ましい。このリング９１は、バネ接触部４５のバネ接触面４５ｂとコイルバネ６１の一端部との間に配置されている。すなわち、リング９１は、バネ接触部４５のバネ接触面４５ｂに面接触していると共に、コイルバネ６１の付勢力によりバネ接触部４５とコイルバネ６１とで挟持されている。
【００３８】
舌片９２は、リング９１の外周縁部から一体的に突出する薄板状の板バネで形成されている。舌片９２は、スイッチボディ４の小径部４２の貫通孔４７を貫通して小径部４２の外表面から突出すると共に、スイッチボディ４の取付孔３への挿入方向とは反対方向に傾斜されていることが好ましい。この舌片９２の傾斜角度は、舌片９２の先端部又は先端部近傍が操作パネル２に接触し得る範囲内から任意に選ばれる。この舌片９２の幅は、特に限定されないが、舌片９２をリング９１に対して折り曲げることができる範囲内から選ばれる寸法であることが好ましい。舌片９２の長さ（突出長さ）は、スイッチボディ４を取付孔３に挿入して取り付けたとき、操作パネル２に接触すれば特に限定されないが、スイッチボディ４の取付孔３への挿入方向とは反対方向に傾斜した状態で操作パネル２に接触し得る範囲内から選ばれる寸法であることが好ましい。舌片９２は、図２及び図３に示す例では、リング９１の外周縁部にその周方向に１８０°（略１８０度を含む）間隔に２つ設けられているが、これに限定されず、図４及び図５に示すように、１つでもよいし、また、３つ以上でもよい。
【００３９】
貫通孔４７は、舌片９２が貫通して小径部４２の外表面から傾斜した状態で突出し得る形状で形成されていることが好ましい。この貫通孔４７は、例えば、小径部４２の軸方向にスリット状に形成されている。具体的には例えば、貫通孔４７は、バネ接触部４５と小径部４２の一端部（大径部４１側の端部）との間の略中央部から他端部までの壁が完全に切り欠かれた第１スリット４７ａと、その小径部４２の略中央部から一端部までの壁の外表面側の一部が小径部４２の軸に沿って切り欠かれた第２スリット４７ｂとから形成されている。また、第２スリット４７ｂが形成されている小径部４２の壁部の他端部（バネ接触部４５側の端部）の外表面側の角部は、傾斜されて舌片９２が接触する舌片部接触部４７ｃとして形成され、この舌片部接触部４７ｃに舌片９２が傾斜した状態で位置される。第２スリット４７ｂの深さは、小径部４２の外周に螺合された取付ナット１１と舌片部接触部４７ｃとで舌片９２を挟持し得る寸法で形成されていることが好ましい。第１スリット４７ａ及び第２スリット４７ｂの幅は、アース部材９を所定の位置に位置決めできる範囲から任意に設定され、少なくとも舌片９２の幅より大きな寸法で形成されている。
【００４０】
アース部材９は、１つの舌片９２を有する場合には、舌片９２が所定の傾斜角度で傾斜した状態でスイッチボディ４に設けるようにしてもよい。具体的には、舌片９２側を斜め下にしてアース部材９をスイッチボディ４内にその開口部から挿入する。この挿入は、舌片９２の先端部を第１スリット４７ａに挿入してから第２スリット４７ｂ上に舌片９２の先端部が位置されるように、リング９１を水平にしてリング９１をバネ接触部４５のバネ接触面４５ｂに面接触させるように行う。これにより、アース部材９をスイッチボディ４に設けることができる。なお、この場合、バネ接触部４５が略水平に位置されている前提で説明している。
【００４１】
また、アース部材９が２つ以上の舌片９２を有する場合には、各舌片９２を反対側（アース部材９をスイッチボディ４に設けたときのリング９１に対する傾斜側とは反対側）に傾斜させる。このリング９１をバネ接触部４５に対向させる。このとき、各舌片９２が貫通孔４７と対向するように位置決めする。この状態のまま、アース部材９をスイッチボディ４内にその先端部の開口部から挿入して、リング９１をバネ接触部４５のバネ接触面４５ｂに面接触させると共に、各舌片９２をそれぞれ第１スリット４７ａに挿入する。リング９１をバネ接触面４５ｂに面接触させた後に各舌片９２を大径部４１側に折り曲げて傾斜させることによって、アース部材９をスイッチボディ４に設けることができる。
【００４２】
これらのようにすれば、アース部材９をスイッチボディ４に設けることができる。このとき、舌片９２の傾斜角度、すなわち、舌片９２の先端部の位置は、スイッチボディ４を取付孔３に取り付けたときに操作パネル２に接触している状態より小径部４２の外表面から離れている位置に位置されていることが好ましい。
【００４３】
アース部材９をスイッチボディ４に設けた後に、コイルバネ６１をその一端部からスイッチボディ４内にその先端部の開口部から挿入して、コイルバネ６１の一端部をバネ接触部４５のバネ接触面４５ｂ上のアース部材９のリング９１に接触させ、コイルバネ６１をスイッチボディ４内に収容する。
【００４４】
収容後、プランジャー５０を脚部５２の先端からスイッチボディ４内に挿入する。すなわち、脚部５２の先端をスイッチボディ４の先端部の開口部からスイッチボディ４内に挿入する。脚部５２の先端は、コイルバネ６１内を通ってバネ接触部４５に接触し、傾斜面５９がバネ接触部４５と接触することによって２つの脚部５２、５２が互いが対向する方向に可撓しつつ進む。脚部５２は、ストッパ部５８がバネ接触部４５を通り過ぎると、可撓した状態から元の状態に戻り、脚部５２の外表面がバネ接触部４５の脚部接触面４５ｂに接触すると共に、ストッパ部５８がストッパ接触面４５ｃに接触し、プランジャー５０の突出方向の移動が規制される。これにより、プランジャー５０がスイッチボディ４に出没可能に収容される。このプランジャー５０は、予め円筒部５１内にプレート１８が設けられていると共に、ボタンカバー１５が装着されている。
【００４５】
そして、プランジャー５０を収容したスイッチボディ４を取付孔３にその後端部から挿入する。なお、取付孔３にネジ溝が設けられている場合には、螺合しつつスイッチボディ４を取付孔３に挿入する。この挿入は、大径部４１が操作パネル２に接触するまで行う。このとき、小径部４２の貫通孔４７からアース部材９の舌片９２が突出しており、この舌片９２が操作パネル２に接触する。すなわち、スイッチボディ４を操作パネル２の取付孔３に挿入することにより、ワンタッチでアース部材９を操作パネル２に接触することができる。アース部材９の舌片９２がスイッチボディ４の取付孔３への挿入方向とは反対方向に傾斜されていることにより、舌片９２が邪魔になることなくスイッチボディ４を取付孔３に挿入することができる。
【００４６】
また、舌片９２の先端部が、スイッチボディ４を取付孔３に取り付けたときに操作パネル２に接触している状態より小径部４２の外表面から離れている位置に位置されていることにより、スイッチボディ４を取付孔３に挿入するときに、その取付孔３を形成する操作パネル２が舌片９２の表面に接触して小径部４２の外表面方向に可撓し、この状態で舌片９２が操作パネル２に接触する。その結果、舌片９２は元の状態に戻ろうとするので、舌片９２は確実に操作パネル２に接触することになる。
【００４７】
スイッチボディ４を操作パネル２の取付孔３に取り付けた後、その小径部４２の外表面にその後端部から取付ナット１１を螺合させ、スイッチボディ４の大径部４１と取付ナット１１とで操作パネル２を挟持してスイッチボディ４を操作パネル２に固定する。このように、取付ナット１１を螺合させてスイッチボディ４を操作パネル２に固定させたとき、取付ナット１１と舌片部接触部４７ｃとで舌片９２の中間部（両端部の間の部分）が挟持されることにより、舌片９２が湾曲し難くなり、舌片９２の操作パネル２への接触を長期間にわたって確実に行うことができる。
【００４８】
スイッチボディ４を固定した後、スイッチボディ４の後端部にスイッチボックス７０を取り付けることにより、本発明の押しボタンスイッチ１が操作パネル２に取り付けられることになる。ランプ７２が点灯すると、プレート１８を介してボタンカバー１５が内部から照らされる。そのボタンカバー１５を例えば指で押圧すると、プランジャー５０がスイッチボディ４の軸方向に移動してスイッチボディ４内に没入又は略没入し、プランジャー５０の脚部５２の先端部がマイクロスイッチを作動させる。その結果、マイクロスイッチからの電気信号が配線７５を介して操作パネル２内の基板等に送られ、ゲーム機を操作したりすることができ、遊戯を楽しめる。
【００４９】
ボタンカバー１５を指等で押圧した場合には、静電気放電がプランジャー５０、そのプランジャー５０に接触しているコイルバネ６１との間になされることがある。その場合、そのコイルバネ６１からアース部材９を介して操作パネル２に静電気が流れる。すなわち、コイルバネ６１に静電気が流れたとき、その静電気はコイルバネ６１に非接触のランプソケットよりもコイルバネ６１に接触している導電性のアース部材９に流れ、アース部材９から操作パネル２に流れる。その結果、各種ゲーム機等の電子機器内の基板へ静電気が流れ、基板を破壊したり、誤動作を生じたりすることが防止される。
【００５０】
したがって、本発明に係る第１の照光式押しボタンスイッチ１は、極めて簡単な組み付け易い構成でコイルバネ６１を流れる静電気を操作パネル２に流すことができ、ランプホルダーを介して各種ゲーム機等の電子機器の基板へ静電気が流れ、基板を破壊したり、誤動作を生じたりすることを有効に防止することができるものである。
【００５１】
また、コイルバネ６１の一端部はスイッチボディ４のバネ接触部４５に接触し、この接触位置はスイッチボディ４に対してほとんど変わらないために、スイッチボディ４に設けられているアース部材９とコイルバネ６１の一端部との接触状態を良好に維持することができ、静電気をコイルバネ６１からアース部材９に確実に流すことができる。また、第２接触部８である舌片９２が板バネとして形成されているために、操作パネル２との接触状態を良好に維持することができ、静電気をアース部材９から操作パネル２に確実に流すことができる。よって、コイルバネ６１に流れた静電気を確実に操作パネル２に流すことができる。
【００５２】
また、リング９１は、バネ接触部４５のバネ接触面４５ｂに面接触していると共に、コイルバネ６１の付勢力によりバネ接触部４５とコイルバネ６１とで挟持されているために、リング９１とコイルバネ６１の接触状態を一層良好に維持することができ、静電気をコイルバネ６１からアース部材９に一層確実に流すことができる。
【００５３】
図６は本発明に係る第２の照光式押しボタンスイッチの一例を示す図である。図７は本発明に係る弾性部材の一例を示す図である。この第２の照光式押しボタンスイッチは、図６及び図７に示すように、アース部材９が弾性部材１０１と一体的に形成されていることを特徴とする。なお、前記の第１の照光式押しボタンスイッチと同じ部材には同じ名称及び同じ符号を付し、その説明を省略することがある。
【００５４】
弾性部材１０１は、バネ部１０２とアース部１０３とからなり、導電性材料で形成されている。バネ部１０２は、例えば、前記の第１の押しボタンスイッチ１のコイルバネ６１と略同じ構造のものである。すなわち、バネ部１０２の内径は、２つの脚部５２、５２の外表面間の長さより長い寸法の径で形成されていると共に、その外径は、スイッチボディ４の内径より若干小さな寸法の径で形成されていることが好ましい。バネ部１０２の両端部はリング状に形成されていることが好ましい。このバネ部１０２は、一端部がバネ接触部４５に当接されていると共に、他端部がバネ接触壁部５７に当接されており、その付勢力によりプランジャー５０を突出方向に付勢する、すなわち、脚部５２のストッパ部５８がバネ接触部４５に当接するように付勢するように形成されている。
【００５５】
アース部１０３は、アース部材９であり、バネ部１０２の一端部の周縁部から突出したバネ部１０２と同じ断面円形の棒状に形成されている。アース部１０３は、バネ部１０２に一体的に接続されている直線部１０５と、その直線部１０５から一体的に延びる傾斜部１０６とからなる。
【００５６】
直線部１０５は、第１接触部７であり、バネ部１０２のリング状の一端部にそのリング状の一端部と同一（略同一を含む）平面状であってその径方向外方に延びて形成されている。
【００５７】
傾斜部１０６は、第２接触部８であり、前記の第１の押しボタンスイッチ１における舌片９２と同じ機能を奏するものである。すなわち、傾斜部１０６は、スイッチボディ４の小径部４２の貫通孔１０７を貫通して小径部４２から突出すると共に、スイッチボディ４の取付孔３への挿入方向とは反対方向に傾斜されている。この傾斜部１０６の傾斜角度は、傾斜部１０６の先端部又は先端部近傍が操作パネル２に接触し得る範囲内から任意に選ばれる。傾斜部１０６の長さ（突出長さ）は、スイッチボディ４を取付孔３に挿入して取り付けたとき、操作パネル２、特に取付孔３を形成する操作パネル２に接触すれば特に限定されないが、スイッチボディ４の取付孔３への挿入方向とは反対方向に傾斜した状態で操作パネル２に接触し得る範囲内から選ばれる寸法であることが好ましい。傾斜部１０６は、図６及び図７に示す例では、バネ部１０２の一端部の外周縁部に１つ設けられているが、これに限定されず、２つ以上設けるようにしてもよい。
【００５８】
貫通孔１０７は、前記の第１の押しボタンスイッチ１における貫通孔４７と略同じ形状であり、異なる点が第２スリット１０７ｂの深さの寸法でそれ以外は同じ（略同じ）に形成されている。第２スリット１０７ｂの深さは、傾斜部１０６の直径に応じて形成されている。すなわち、第２スリット１０７ｂの深さは、スイッチボディ４が取付孔３に取り付けられて第２スリット１０７ｂに傾斜部１０６が位置されたとき、傾斜部１０６の周面に第２スリット１０７ｂの底部と取付孔３を形成する操作パネル２とが接触し得る寸法で形成されていることが好ましい。
【００５９】
弾性部材１０１は、アース部１０３を反対側に傾斜させる。この弾性部材１０１の一端部をバネ接触部４５に対向させる。このとき、アース部１０３が貫通孔１０７と対向するように位置決めする。この状態のまま、弾性部材１０１をスイッチボディ４内にその開口部から挿入して、弾性部材１０１の一端部をバネ接触部４５のバネ接触面４５ｂに面接触させると共に、アース部１０３を第１スリット１０７ａに挿入する。この挿入されたアース部１０３を大径部４１側に折り曲げて傾斜させることによって、弾性部材１０１をスイッチボディ４に設けることができる。
【００６０】
弾性部材１０１をスイッチボディ４に設けた後に、プランジャー５０をスイッチボディ４内に挿入して出没可能に収容する。収容後、スイッチボディ４を操作パネル２の取付孔３に後端部から挿入する。このとき、小径部４２の貫通孔１０７から弾性部材１０１の傾斜部１０６が突出し、この傾斜部１０６が操作パネル２に接触する。すなわち、スイッチボディ４を取付孔３に挿入することにより、ワンタッチで傾斜部１０６を操作パネル２に接触することができる。その傾斜部１０６がスイッチボディ４の取付孔３への挿入方向とは反対方向に傾斜されていることにより、傾斜部１０６が邪魔になることなくスイッチボディ４を取付孔３に挿入することができる。
【００６１】
また、スイッチボディ４を操作パネル２の取付孔３に挿入したとき、傾斜部１０６の先端部及びその近傍は、第２スリット１０７ｂ内に収容されて、第２スリット１０７ｂと取付孔３を形成する操作パネル２とで挟持されるので、確実に傾斜部１０６を操作パネル２に接触させることができる。
【００６２】
スイッチボディ４を操作パネル２の取付孔３に取り付けた後、その小径部４２の外表面にその後端部から取付ナット１１を螺合させ、スイッチボディ４の大径部４１と取付ナット１１とで操作パネル２を挟持してスイッチボディ４を操作パネル２に固定する。
【００６３】
固定後、スイッチボディ４の後端部にスイッチボックス７０を取り付けることにより、本発明の第２の押しボタンスイッチ１００が操作パネル２に取り付けられる。この押しボタンスイッチ１００のボタンカバー１５を指等で押圧した場合には、指等から静電気がボタンカバー１５に放電することがあり得る。その場合、その静電気は、ボタンカバー１５からボタンカバー１５に接触しているプランジャー５０、そのプランジャー５０に接触している弾性部材１０１に流れ、さらにその弾性部材１０１のアース部１０３から操作パネル２に流れる。特に操作パネル２がゲーム機の筐体であると導電性材料例えば鉄板が用いられているので、確実に静電気が操作パネル２に流れることになる。その結果、各種ゲーム機等の電子機器内の基板へ静電気が流れ、基板を破壊したり、誤動作を生じたりすることが防止される。
【００６４】
したがって、本発明に係る第２の照光式押しボタンスイッチ１００は、極めて簡単な組み付け易い構成でコイルバネ６１を流れる静電気を操作パネル２に流すことができ、ランプホルダーを介して各種ゲーム機等の電子機器の基板へ静電気が流れ、基板を破壊したり、誤動作を生じたりすることを有効に防止することができるものである。
【００６５】
図８は本発明に係る第３の照光式押しボタンスイッチの一例を示す図である。図９は本発明に係る第２のアース部材の一例を示す図である。この第３の照光式押しボタンスイッチは、図８に示すように、アース部材９がスイッチボディ４の外表面に着脱可能に取り付けられていることを特徴とする。なお、前記の第１の照光式押しボタンスイッチと同じ部材には同じ名称及び同じ符号を付し、その説明を省略することがある。
【００６６】
アース部材９は、スイッチボディ４の外表面に装着される板バネ１１５と、その板バネ１１５から突出してスイッチボディ４を貫通しスイッチボディ４内に設けられているコイルバネ６１に接触する突出片１１６とからなり、導電性材料で形成されている。
【００６７】
板バネ１１５は、第２接触部８であり、小径部４２の大径部４１側の端部の外周にその周方向に延びる取付部１１２に装着されている。板バネ１１５は、特に限定されないが、例えば、略円弧状の板バネである。この板バネ１１５は、円の半分より大きい円弧（優弧）状に形成されていることが好ましい。また、板バネ１１５の厚さは、特に限定されないが、板バネ１１５を取付部１１２に容易に装着し得る寸法で形成されていることが好ましい。
【００６８】
突出片１１６は、第１接触部７であり、板バネ１１５に一体的に形成されていることが好ましい。突出片１１６は、例えば、矩形薄平板状に形成されている。この突出片１１６は、例えば、板バネ１１５の一方の内周縁部の中央部（略中央部を含む。）からその径方向内方に延びて形成されている。この突出片１１６は、スイッチボディ４の小径部４２の貫通孔１１３を貫通してスイッチボディ４内に設けられているコイルバネ６１に接触する長さに形成されている。
【００６９】
貫通孔１１３は、小径部４２の大径部４１側の端部、すなわち、大径部４１が操作パネル２に接触する壁に沿った小径部４２の端部にスイッチボディ４の径方向に延びて形成されている。この貫通孔１１３に突出片１１６を挿入したとき、板バネ１１５が小径部４２の端部外周に接触するが、この接触個所が取付部１１２として形成されている。取付部１１２は、取付ナット１１を螺合するのに支障がない場合にはネジ溝が設けられていてもよいが、その支障がある場合にはネジ溝を設けないようにする。。
【００７０】
アース部材９の板バネ１１５の両端部を互いが離間する方向に移動させる。すなわち、板バネ１１５の両端部を広げ、この板バネ１１５を取付部１１２に装着すると共に、突出片１１６を貫通孔１１３に挿入することにより、アース部材９をスイッチボディ４に設けることができる。このスイッチボディ４内には、その開口部からコイルバネ６１を挿入してコイルバネ６１の一端部をバネ接触部４５に接触させてから、プランジャー５０をスイッチボディ４内に挿入して出没可能に収容しておくことが望ましい。これにより、アース部材９の突出片１１６の先端がコイルバネ６１の周縁部の一部に接触する。
【００７１】
このスイッチボディ４を操作パネル２の取付孔３に後端部から挿入する。このとき、小径部４２の外周にアース部材９の板バネ１１５が装着されているので、この板バネ１１５が操作パネル２に接触する。すなわち、スイッチボディ４を操作パネル２の取付孔３に挿入することにより、ワンタッチでアース部材９を操作パネル２に接触することができる。
【００７２】
スイッチボディ４を操作パネル２の取付孔３に取り付けた後、小径部４２の外表面にその後端部から取付ナット１１を螺合させ、大径部４１と取付ナット１１とで操作パネル２を挟持してスイッチボディ４を操作パネル２に固定する。
【００７３】
固定後、スイッチボディ４の後端部にスイッチボックス７０を取り付けることにより、本発明の第３の押しボタンスイッチ１１０が操作パネル２に取り付けられる。この押しボタンスイッチ１１０のボタンカバー１５を指等で押圧した場合には、指等から静電気がボタンカバー１５に放電することがあり得る。その場合、その静電気は、ボタンカバー１５からボタンカバー１５に接触しているプランジャー５０、そのプランジャー５０に接触しているコイルバネ６１に流れ、さらにそのコイルバネ６１からアース部材９を介して筐体に流れる。すなわち、コイルバネ６１に静電気が流れたとき、その静電気はコイルバネ６１に非接触のランプソケットよりもコイルバネ６１に接触している導電性のアース部材９に流れ、アース部材９から操作パネル２に流れる。特に操作パネル２がゲーム機の筐体であると導電性材料例えば鉄板が用いられているので、確実に静電気が操作パネル２に流れることになる。その結果、各種ゲーム機等の電子機器内の基板へ静電気が流れ、基板を破壊したり、誤動作を生じたりすることが防止される。
【００７４】
したがって、本発明に係る第３の照光式押しボタンスイッチ１１０は、極めて簡単な組み付け易い構成でコイルバネ６１を流れる静電気を操作パネル２に流すことができ、ランプホルダーを介して各種ゲーム機等の電子機器の基板へ静電気が流れ、基板を破壊したり、誤動作を生じたりすることを有効に防止することができるものである。
【産業上の利用可能性】
【００７５】
本発明に係る照光式押しボタンスイッチは、操作パネル内への静電気の進入を防止することができるので、例えば、各種ゲーム機等の電子機器内の基板へ静電気が流れ、基板を破壊したり、誤動作を生じたりすることが防止され、遊戯を十分に楽しめることができるものである。
【図面の簡単な説明】
【００７６】
【図１】本発明に係る第１の照光式押しボタンスイッチの一例を示す側面図である。
【図２】本発明に係る第１の照光式押しボタンスイッチの一例を示す側断面図である。
【図３】本発明に係る第１のアース部材の一例を示す図で、（ａ）は平面図、（ｂ）は側面図、（ｃ）は背面図である。
【図４】本発明に係る第１の照光式押しボタンスイッチの他の例を示す側断面図である。
【図５】本発明に係る第１のアース部材の他の例を示す図で、（ａ）は平面図、（ｂ）は背面図、（ｃ）は側面図である。
【図６】本発明に係る第２の照光式押しボタンスイッチの一例を示す側断面図である。
【図７】本発明に係る弾性部材の一例を示す図で、（ａ）は平面図、（ｂ）は背面図、（ｃ）は側面図である。
【図８】本発明に係る第３の照光式押しボタンスイッチの一例を示す側断面図である。
【図９】本発明に係る第２のアース部材の一例を示す図で、（ａ）は平面図、（ｂ）は正面図、（ｃ）は（ａ）図中のＡ−Ａ線矢視断面図である。
【符号の説明】
【００７７】
１  第１の照光式押しボタンスイッチ
２  筐体
３  取付孔
４  スイッチボディ
５  プランジャー
６  弾性部材
７  第１接触部
８  第２接触部
９  アース部材
１５  ボタンカバー
４１  大径部
４２  小径部
４５  バネ接触部
４７  貫通孔
６１  コイルバネ
９１  リング
９２  舌片
１００  第２の照光式押しボタンスイッチ
１０１  弾性部材
１０２  バネ部
１０３  アース部
１０７  貫通孔
１１０  第３の照光式押しボタンスイッチ
１１３  貫通孔
１１５  板バネ
１１６  突出片
【図１】
2006066098.tif 000003
【図２】
2006066098.tif 000004
【図３】
2006066098.tif 000005
【図４】
2006066098.tif 000006
【図５】
2006066098.tif 000007
【図６】
2006066098.tif 000008
【図７】
2006066098.tif 000009
【図８】
2006066098.tif 000010
【図９】
2006066098.tif 000011